(57)【特許請求の範囲】
【請求項１】
ヤシ油脂肪酸石けんにカルシウム欠損型ハイドロキシアパタイト粉末［化学式：Ｃａ10-xＨ2x（ＰＯ）6（ＯＨ）2（但し、ｘは０．０２〜１．０）］とシソ抽出成分とを配合してなることを特徴とする固体状石けん。
【請求項２】
さらに、ホホバオイルを含むことを特徴とする請求項１に記載の固体状石けん。
【請求項３】
粉末状であることを特徴とする請求項１もしくは２に記載の固体状石けん。
【発明の詳細な説明】
【０００１】
【発明の属する技術分野】
本発明は、固体状石けんに関する。
【０００２】
【従来の技術】
洗顔などに用いられる固形状石けんは、油脂を水酸化ナトリウムでけん化させて得られる界面活性剤の一つである。皮膚に付着している汚れは、角質細胞などのタンパク質や皮脂を構成する油脂からなる老廃物と、外部から付着した異物とに大別される。固形状石けんは、皮膚に付着している汚れを水中に乳化分散させて除去するが、老廃物は皮膚との親和性が高いために固形状石けんの乳化分散作用だけでは、老廃物を皮膚から充分に除去することは難しい。このような理由から、人体に対し安全で老廃物に対してもさらに優れた除去能を有する、洗浄力の高い固形状石けんの開発が試みられている。
【０００３】
特開平１−１８６８１４号公報では、ハイドロキシアパタイト粉末を含有させた洗顔料が提案されている。そこに提案されているハイドロキシアパタイト［化学式：Ｃａ10（ＰＯ）6（ＯＨ）2］は、骨の主成分で生体親和性が高く、蛋白質、脂質、脂肪酸及び過酸化脂質に対して優れた吸着能を有することが知られている物質である。この公報の実施例では、ヤシ油脂肪酸石けんとハイドロキシアパタイト粉末、さらに微量の防腐剤と香料と加えた固形状石けんが開示されている。
【０００４】
ハイドロキシアパタイト粉末は、水酸化カルシウム（又は炭酸カルシウム）とリン酸とを水溶液中で室温〜８０℃程度の温度下で反応させる溶液法（湿式法ともいう）、もしくは炭酸カルシウムとリン酸カルシウムとを空気（又は水蒸気）中で９００〜１２００℃の高温下で反応させる固相法（乾式法ともいう）のいずれかにより製造するのが一般的である。通常、固形状石けんに使用するような粒子径が小さいことが望まれるハイドロキシアパタイト粉末を製造する場合では、溶液法が用いられている。
【０００５】
ハイドロキシアパタイトは、カルシウム欠損型ハイドロキシアパタイト［化学式：Ｃａ10-xＨ2x（ＰＯ）6（ＯＨ）2］を経由して生成されるが、溶液法においては、カルシウム欠損型ハイドロキシアパタイトを構成する水素原子の全てをカルシウム原子に置換してハイドロキシアパタイトにするまでには相当の時間が必要となる。従って、溶液法により得られるハイドロアパタイト粉末は、安価であることが望まれる固形状石けんの材料として使用するにはコスト的に高価なものである。
【０００６】
【発明が解決しようとする課題】
本発明の目的は、工業的に無理のないコストで使用することができる材料を用いながらも、ハイドロキシアパタイト粉末を用いた場合に比べて、使用後の汚れ落ちやさっぱり感に優れる固形状石けんを提供することにある。
【０００７】
【課題を解決するための手段】
本発明は、ヤシ油脂肪酸石けんにカルシウム欠損型ハイドロキシアパタイト粉末［化学式：Ｃａ10-xＨ2x（ＰＯ）6（ＯＨ）2（但し、ｘは０．０２〜１．０）］とシソ抽出成分とを配合してなることを特徴とする固体状石けんにある。
【０００８】
【発明の実施の形態】
本発明の固形状石けんは、カルシウム欠損型ハイドロキシアパタイト粉末［化学式：Ｃａ10-xＨ2x（ＰＯ）6（ＯＨ）2（但し、ｘは０．０２〜１．０）］を含むものであることに主な特徴がある。本発明の固形状石けんに用いられるカルシウム欠損型ハイドロキシアパタイト粉末は、前述したように溶液法によりハイドロキシアパタイトを製造する際の中間生成物であることから、短時間で製造することができ、ハイドロキシアパタイト粉末よりもコスト的に有利な物質である。また、カルシウム欠損型ハイドロキシアパタイト粉末は、比表面積が５０〜１００ｍ2／ｇであり、一般的なハイドロキシアパタイト粉末の比表面積（１〜２０ｍ2／ｇ）よりも大きいことから、ハイドロキシアパタイト粉末よりも老廃物の吸着能が優れている。ｘが０．０２未満のカルシウム欠損型ハイドロキシアパタイト粉末であっても老廃物の吸着能に関して言えば、比表面積が小さく多少吸着能は劣るものの実用上の不都合はないが、製造時間が長くなって製造コストが高くなり日常的に使用される固形状石けんへの使用に適さない。具体的な例を示せば、ｘが０．１のカルシウム欠損型ハイドロキシアパタイト粉末を室温で製造する場合は、ハイドロキシアパタイト粉末の半分以下の時間で製造することができる。一方、ｘが１．０よりも大きいカルシウム欠損型ハイドロキシアパタイト粉末では、カルシウムの欠損が多すぎて不安定となり、低温で保存しなければならないなどその保存が難しい。
【０００９】
本発明の固形状石けんに含まれるカルシウム欠損型ハイドロキシアパタイト粉末の粒子径（一次粒子径）に特には制限はないが、０．０５〜３μｍの範囲内にあることが好ましく、０．２〜１．５μｍの範囲内にあることがより好ましい。固形状石けん中のカルシウム欠損型ハイドロキシアパタイト粉末含有量は、１〜３０重量％の範囲内にあることが好ましい。
【００１０】
本発明の固形状石けんは、カルシウム欠損型ハイドロキシアパタイト粉末の優れた老廃物除去能により、老廃物によるニキビ等の肌の炎症を緩和させる効果をも発揮するが、より効果的に肌の炎症を緩和させることを目指す場合には、固形状石けんにシソ抽出成分を加えることにより、その効果がさらに向上する。シソ抽出成分は、無味無臭でカルシウム欠損型ハイドロキシアパタイト粉末に吸着し易く、カルシウム欠損型ハイドロキシアパタイト粉末に安定な状態で吸着させることができる。
【００１１】
また、本発明の固形状石けんでは、洗浄後の肌にうるおい感を与えるために保湿剤を加えてもよい。本発明の固形状石けんに好適に用いることができる保湿剤の例としては、ホホバオイルを挙げることができる。ホホバオイルは、ホホバの種子から得られる液体ロウであり、その主成分は不飽和高級アルコールと不飽和脂肪酸のエステルである。
【００１２】
本発明の固形状石けんは、ヤシ油脂肪酸石けんを使用する。また、本発明の固形状石けんにおいては、その形状や大きさに特に制限はないが、特に粉末状とした場合に、その洗浄力が効果的に高くなる。さらに、本発明の固形状石けんは通常の固形状石けんに用いられる香料（例：ユーカリ油）、酸化防止剤、防腐剤、顔料などを微量含んでいても良い。
【００１３】
【実施例】
下記の材料を選択して、常法により混練して粉末石けんを製造した。
（１）粉末状のヤシ油脂肪酸石けん
（２）カルシウム欠損型ハイドロキシアパタイト粉末（Ａ）［組成：Ｃａ9.98Ｈ0.04（ＰＯ）6（ＯＨ）2］
（３）カルシウム欠損型ハイドロキシアパタイト粉末（Ｂ）［組成：Ｃａ9.95Ｈ0.1（ＰＯ）6（ＯＨ）2］
（４）カルシウム欠損型ハイドロキシアパタイト粉末（Ｃ）［組成：Ｃａ9Ｈ2（ＰＯ）6（ＯＨ）2］
（５）粉末状シソ抽出成分
（６）ホホバオイル
（７）ハイドロキシアパタイト粉末［組成：Ｃａ10（ＰＯ）6（ＯＨ）2］
【００１４】
［実施例１］
粉末状ヤシ油脂肪酸石けん（８９重量部）、カルシウム欠損型ハイドロキシアパタイト（Ａ）（３重量部）、粉末状シソ抽出成分（３重量部）、ホホバオイル（１重量部）
【００１５】
［実施例２］
粉末状ヤシ油脂肪酸石けん（８９重量部）、カルシウム欠損型ハイドロキシアパタイト（Ｂ）（３重量部）、粉末状シソ抽出成分（３重量部）、ホホバオイル（１重量部）
【００１６】
［実施例３］
粉末状ヤシ油脂肪酸石けん（８９重量部）、カルシウム欠損型ハイドロキシアパタイト（Ｃ）（３重量部）、粉末状シソ抽出成分（３重量部）、ホホバオイル（１重量部）
【００１７】
［実施例４］
粉末状ヤシ油脂肪酸石けん（８９重量部）、カルシウム欠損型ハイドロキシアパタイト（Ａ）（３重量部）、粉末状シソ抽出成分（３重量部）
【００１８】
［参考例１］
粉末状ヤシ油脂肪酸石けん（８９重量部）、カルシウム欠損型ハイドロキシアパタイト（Ａ）（３重量部）
【００１９】
［比較例１］
粉末状ヤシ油脂肪酸石けん（８９重量部）、ハイドロキシアパタイト（３重量部）
【００２０】
［評価］
（１）成人女性を２０人づつの６つのグループ（グループａ〜ｆ）に分け、下記の表１に示すようにそれぞれのグループごとに実施例１〜４、参考例１及び比較例１で製造した粉末石けんのうちの一つと粉末状のヤシ油脂肪酸石けんとを渡して洗顔させた。
【００２１】
表１
──────────────────────────────
グループ              被験者に渡した粉末石けん
──────────────────────────────
グループａ          実施例１で製造した粉末石けん
グループｂ          実施例２で製造した粉末石けん
グループｃ          実施例３で製造した粉末石けん
グループｄ          実施例４で製造した粉末石けん
グループｅ          参考例１で製造した粉末石けん
グループｆ          比較例１で製造した粉末石けん
──────────────────────────────
【００２２】
各被験者に実施例１〜４、参考例１及び比較例１で製造した粉末石けんについて、粉末状ヤシ油脂肪酸石けんと比較して、汚れ落ち、洗顔後のさっぱり感に違いがあるか否かを回答してもらい、グループごとに集計した。その結果を表２に示す。
【００２３】
【表２】
0004031181.tif 000002
【００２４】
表２に示すように、カルシウム欠損型ハイドロキシアパタイト粉末を含む粉末石けん（実施例１〜４と参考例１）で洗顔させたグループａ〜ｅでは、被験者の８５％以上が汚れ落ちが優れていると、また被験者の８０％以上がさっぱり感があると回答した。これは、ハイドロキシアパタイト粉末を含む粉末石けん（比較例１）で洗顔させたグループｆで、汚れ落ちが優れていると回答した被験者（７０％）、さっぱり感があると回答した被験者（６０％）よりも多い。また、ホホバオイルを含む粉末石けん（実施例１〜３）で洗顔させたグループａ〜ｃでは、被験者の９０％が、洗顔後の肌にうるおい感（しっとり感）があると回答した。
【００２５】
（２）ニキビに悩みを持つ成人男性を１０人づつの３つのグループ（グループｇ〜ｉ）に分け、下記の表３に示すようにそれぞれのグループごとに実施例１と参考例１で製造した粉末石けん及び粉末状のヤシ油脂肪酸石けんのうちの一つを渡して１日３回（朝昼晩）づつ洗顔させた。
【００２６】
表３
─────────────────────────────────
グループ        被験者に渡した粉末石けん
─────────────────────────────────
グループｇ    実施例１で製造した粉末石けん
グループｈ    参考例１で製造した粉末石けん
グループｉ    粉末状のヤシ油脂肪酸石けん
─────────────────────────────────
【００２７】
試験開始から１週間後、各被験者にニキビの数が減少したか否かを回答してもらい、グループごとに集計した。その結果を表４に示す。
【００２８】
【表４】
0004031181.tif 000003
【００２９】
表４に示すように、カルシウム欠損型ハイドロキシアパタイト粉末を含む粉末石けん（実施例１と参考例１）で洗顔させたグループｇ、ｈでは、被験者の７０％以上がニキビの数が減少したと回答した。特に、カルシウム欠損型ハイドロキシアパタイト粉末とシソ抽出成分とを含む粉末石けんで洗顔させたグループｇでは被験者の８０％がニキビの数が減少したと回答した。
【００３０】
【発明の効果】
本発明の固形状石けんは、比較的安価に製造することができるカルシウム欠損型ハイドロキシアパタイト粉末を用いながらも、ハイドロキシアパタイト粉末を含む固形状石けん以上の高い洗浄力を発揮する。